(57)【要約】      （修正有）【課題】スペースを有効に利用しつつ立体回路を構成することによりアンテナ実効長を大きくして、利得・帯域幅などアンテナ特性を大きく向上する。【解決手段】配線パターンを有する回路基板６１と、この回路基板６１上で配線パターン上に設置されたアンテナ素子８１と、配線パターンに両端部が接続される金属部材８６とでループ回路を形成する。この金属部材８６は、回路基板６１を収納する筐体１２に備えられている。具体的には、筐体１２の内側面に設けられた第１金属部材８６と、配線パターンに設けられ、弾性を具備して第１金属部材８６に接触する第２金属部材８４とを備える。【選択図】図６
2006140589.tif 000002
【特許請求の範囲】
【請求項１】
配線パターンを有する回路基板と、
この回路基板上で配線パターン上に設置されたアンテナ素子と、
前記配線パターンに両端部が接続される金属部材とでループ回路を形成してなることを特徴とするアンテナ構造。
【請求項２】
前記金属部材は、前記回路基板を収納する筐体に備えられていることを特徴とする請求項１に記載のアンテナ構造。
【請求項３】
前記筐体の内側面に設けられた第１金属部材と、
前記配線パターンに設けられ、弾性を具備して前記第１金属部材に接触する第２金属部材とを備えることを特徴とする請求項２に記載のアンテナ構造。
【請求項４】
前記金属部材は、前記回路基板上に設置されていることを特徴とする請求項１に記載のアンテナ構造。
【発明の詳細な説明】
【技術分野】
【０００１】
本発明は、携帯無線機に用いられるアンテナ構造に関する。
【背景技術】
【０００２】
携帯電話機に代表される携帯無線機の小型・軽量化のために、アンテナ部の小型化も要求される。しかし、アンテナを小型化すると、帯域幅や利得などのアンテナ性能に大きく影響し、十分な性能を得ることは非常に難しい。
従来、小型アンテナとして金属板を単体で用いることが多く、例えば誘電体に電極パターンを形成したアンテナ素子に、導電性の板状補助エレメントを取り付けたものがある（特許文献１参照）。
【特許文献１】特開２００１−３３９２２６号公報
【発明の開示】
【発明が解決しようとする課題】
【０００３】
しかし、従来のように金属板を単体で用いた小型アンテナの場合、アンテナ実効長が小さく、ループアンテナに比べてアンテナ利得・帯域幅などに制約が出てしまう。
【０００４】
本発明の課題は、スペースを有効に利用しつつ立体回路を構成することによりアンテナ実効長を大きくして、利得・帯域幅などアンテナ特性を大きく向上することである。
【課題を解決するための手段】
【０００５】
以上の課題を解決するため、請求項１に記載の発明は、例えば図３から図６に示すように、配線パターン８２・８３を有する回路基板６１と、この回路基板６１上で配線パターン８２・８３上に設置されたアンテナ素子８１と、前記配線パターン８２・８３に両端部が接続される金属部材８６とでループ回路を形成してなるアンテナ構造を特徴とする。
【０００６】
請求項１に記載の発明によれば、回路基板上の配線パターン及びアンテナ素子と、その配線パターンに両端部が接続される金属部材とによる立体ループアンテナなので、スペースを有効に利用しながら立体ループ回路によりアンテナ実効長を大きくできる。
従って、アンテナ単体に比べて利得・帯域幅などアンテナ特性を大きく向上できる。
【０００７】
請求項２に記載の発明は、請求項１に記載のアンテナ構造であって、例えば図３及び図６に示すように、前記金属部材８６は、前記回路基板６１を収納する筐体１２に備えられていることを特徴とする。
【０００８】
請求項２に記載の発明によれば、回路基板上のアンテナ素子を含む配線パターンに対し、筐体に備えた金属部材の両端部が接続されて、立体ループアンテナが構成される。
【０００９】
請求項３に記載の発明は、請求項２に記載のアンテナ構造であって、例えば図３、図４及び図６に示すように、前記筐体１２の内側面に設けられた第１金属部材８６と、前記配線パターン８２に設けられ、弾性を具備して前記第１金属部材８６に接触する第２金属部材８４とを備えることを特徴とする。
【００１０】
請求項３に記載の発明によれば、筐体の内側面に設けた第１金属部材に対し、回路基板の配線パターンに設けた第２金属部材が弾性接触する。
【００１１】
請求項４に記載の発明は、請求項１に記載のアンテナ構造であって、例えば図７に示すように、前記金属部材９６は、前記回路基板６１上に設置されていることを特徴とする。
【００１２】
請求項４に記載の発明によれば、回路基板上において、アンテナ素子と配線パターン及び金属部材により立体ループアンテナが構成される。
【発明の効果】
【００１３】
本発明によれば、回路基板上の配線パターン及びアンテナ素子と、その配線パターンに両端部が接続される金属部材とによる立体ループアンテナであり、スペースを有効に利用しながら立体ループ回路によりアンテナ実効長を大きくできるため、アンテナ単体に比べて利得・帯域幅などアンテナ特性を大きく向上できるものとなる。
【発明を実施するための最良の形態】
【００１４】
以下、図を参照して本発明を実施するための最良の形態を詳細に説明する。
本発明を適用する携帯電話機は、図１に示すように、本体部１と蓋部２をヒンジ部３により結合した折り畳み式のもので、本体部１に操作部４が備えられ、蓋部２に表示部５が備えられている。
【００１５】
本体部１は、図２に示すように、組み合わされて筐体をなす下ケース１１及び上ケース１２内に、回路部であるユニットアッシー６の他、キーボタン部４１、マイク７１、バイブレータ７２、マクロノブ７３、マクロノブホルダ７４、ライトレンズホルダ７５等の各種部品を組み込んだものである。下ケース１１には、バッテリーカバー１３、インターフェイスキャップ１４、イヤホンキャップ１５、ＳＤカードスロットキャップ１６が取り付けられる。
【００１６】
ユニットアッシー６は、回路基板６１にキー基板６２等の各種電子部品を組み付けたもので、回路基板６１の長手方向の一端部にアンテナ素子として誘電体アンテナであるチップアンテナ８１が搭載されている。
すなわち、チップアンテナ８１は、図３に拡大して示すように、回路基板６１の一端部のほぼ中央に設置されている。このチップアンテナ８１は、図４に示すように、回路基板６１の表裏面に露出することなく内部に設置、つまり、内層に形成した両側の配線パターン８２・８３にそれぞれ接続されている。この回路基板６１内部に設置した配線パターン８２・８３は回路基板６１の端部に沿って両側方にそれぞれ延びている。
【００１７】
図示例において、一方の配線パターン８２はほぼＵ字形をなす形状でその先端に、回路基板６１に設置した金属部材としての金属バネ８４（図６参照）が接続されており、他方の配線パターン８３は湾曲した形状でその先端に、回路基板６１に設置した金属箔による接続端子８５が接続されている。
【００１８】
また、図５に示すように、上ケース１２の長手方向の一端部に金属部材としての金属板８６が設けられている。
すなわち、金属板８６は上ケース１２の内側面に一端部に沿って接着等により取り付けられており、図示では湾曲形状をなす金属板６８の両端部にほぼＬ字形の折り曲げ部８７・８８がそれぞれ形成されている。ここで、図６に示すように、一方の折り曲げ部８７は回路基板６１の接続端子８５に対応し、他方の折り曲げ部８８は回路基板６１の金属バネ８４に対応するものである。
【００１９】
そして、ユニットアッシー６を内蔵して下ケース１１及び上ケース１２を組み合わされてなる本体部１の組立状態において、図６に示したように、上ケース１２に設けた金属板８６の一方の折り曲げ部８７が回路基板６１の接続端子８５に接続状態となって、他方の折り曲げ部８８が回路基板６１の金属バネ８４に接続状態となっている。
従って、回路基板６１側のチップアンテナ８１、配線パターン８２・８３、金属バネ８４及び接続端子８５と、上ケース１２側の金属板８６とによるアンテナのループ回路が構成され、つまり、立体ループアンテナ８が構成されている。
【００２０】
このように、携帯電話機において、本体部１の一端部内に立体ループアンテナ８を備えたため、誘電体アンテナ（チップアンテナ８１）による波長短縮効果とともに、配線パターン８２・８３、金属バネ８４及び金属板８６によるアンテナ実効長の拡大効果が得られる。
しかも、実施形態では、回路基板６１の一端部で他の電子部品を搭載しない部分に配線パターン８２・８３、金属バネ８４を設けて、上ケース１２の対応部分に金属板８６を設けることで、小型・軽量化を図りながら、空いているデッドスペースを有効活用しつつ、アンテナ実効長を拡大できることにより、アンテナ単体に比べて利得・帯域幅などアンテナ特性を大きく向上させることが可能である。
【００２１】
図７は実施形態２を示すもので、回路基板６１の一端部に、一側方のチップアンテナ９１を設置して、他側方の金属板９６を設置するとともに、これらチップアンテナ９１及び金属板９６に接続される配線パターン９２・９３を形成している。
すなわち、金属板９６は両端部にほぼＬ字形の折り曲げ部９７を有するもので、その折り曲げ部９７で回路基板６１上に搭載されており、その両端部の折り曲げ部９７とチップアンテナ９１の両端部が回路基板６１の反対側面に形成した配線パターン９２・９３によりそれぞれ接続されている。
【００２２】
こうして、回路基板６１において、チップアンテナ９１、配線パターン９２・９４及び金属板９６による立体ループアンテナ９が構成されている。
この立体ループアンテナ９によっても、前述した立体ループアンテナ８によると同様の作用効果が得られる。
【００２３】
なお、以上の実施形態においては、携帯電話機のアンテナ構造としたが、本発明はこれに限定されるものではなく、ＰＤＡなど他の携帯無線機に適用しても良い。
また、配線パターンや金属部材の形状等も任意であり、その他、具体的な細部構造等についても適宜に変更可能であることは勿論である。
【図面の簡単な説明】
【００２４】
【図１】本発明を適用した一実施形態の構成を示すもので、携帯無線機の一例を示した正面図（ａ）、側面図（ｂ）及び背面図（ｃ）である。
【図２】携帯無線機の部品構成を示した分解斜視図である。
【図３】回路基板に設けたアンテナ素子及び配線パターン部分を示した拡大平面図である。
【図４】図３の回路基板の配線パターン部分を示した図である。
【図５】筐体に設けた金属部材部分を示した拡大平面図である。
【図６】立体ループアンテナ部分を示した拡大正面図である。
【図７】本発明を適用した実施形態２を示すもので、回路基板に設けたアンテナ素子、金属部材及び配線パターン部分を示した拡大斜視図である。
【符号の説明】
【００２５】
１１・１２  筐体
６１  回路基板
８  立体ループアンテナ
８１  アンテナ素子
８２・８３  配線パターン
８４  金属部材（金属バネ）
８５  接続端子
８６  金属部材（金属板）
８７・８８  折り曲げ部
９  立体ループアンテナ
９１  アンテナ素子
９２・９３  配線パターン
９６  金属部材（金属板）
９７  折り曲げ部
【図１】
2006140589.tif 000003
【図２】
2006140589.tif 000004
【図３】
2006140589.tif 000005
【図４】
2006140589.tif 000006
【図５】
2006140589.tif 000007
【図６】
2006140589.tif 000008
【図７】
2006140589.tif 000009